(57)【特許請求の範囲】
【請求項１】
伸縮性を備え紐状に形成するゴム材をリング状に形成してなるリング状ゴム部材と、該リング状ゴム部材を少なくとも２本用い、該２本のリング状ゴム部材を嵌装し任意の一箇所で束ね固定する止め部材とを設け、前記止め部材を摺動自在に取り付け前記束ね固定する位置を調整可能にすると共に、前記リング状ゴム部材の前記止め部材を挟んだいずれか一方又は両方の前記把手近傍に手首又は足首に通すリング部材を取り付けたことを特徴とする運動補助器具。
【請求項２】
伸縮性を有するゴム材をリング状に形成してなるリング状ゴム部材と、該リング状ゴム部材を少なくとも２本用い、該少なくとも２本のリング状ゴム部材を嵌装し任意の一箇所で束ね固定する止め部材とを設け、前記止め部材を摺動自在に取り付け前記少なくとも２本のリング状ゴム部材を束ね固定する位置を調整可能に設け、前記止め部材を挟んで前記各リング状ゴム部材のそれぞれの任意の一箇所で束ねる調整部材を摺動自在に取り付け該それぞれのリング状部材の束ね位置を調整し手又は足をかける輪の大きさを調整できるようにし、前記リング状ゴム部材の前記止め部材を挟んだいずれか一方又は両方の前記把手近傍に手首又は足首に通すリング部材を取り付けたことを特徴とする運動補助器具。
【請求項３】
前記リング状ゴム部材の少なくとも２本のリング状ゴム部材のそれぞれに前記止め部材を挟んで、前記各リング状ゴム部材に装着する把手を設けたことを特徴とする請求項１又は２に記載の運動補助器具。
【請求項４】
前記把手は、前記装着したリング状ゴム部材内で移動可能に構成したものである請求項３に記載の運動補助器具。
【請求項５】
前記リング状ゴム部材を構成する紐状に形成されたゴム材は、チューブ状に形成したものである請求項１、２、３又は４に記載の運動補助器具。
【請求項６】
前記止め部材は、断面だるま状に形成したことを特徴とする請求項１、２、３、４又は５に記載の運動補助器具。
【請求項７】
前記止め部材の外周に、該止め部材を締め付ける面ファスナーを着脱自在に巻回したことを特徴とする請求項１、２、３、４、５又は６に記載の運動補助器具。
【請求項８】
前記止め部材は、外周面に括れ状の段差部を形成し、前記面ファスナーを該段差部に着脱自在に巻回したことを特徴とする請求項７に記載の運動補助器具。
【発明の詳細な説明】
【０００１】
【発明の属する技術分野】
本発明は、リング状に形成したゴム部材を用いて構成し、身体を鍛える運動補助器具に関する。
【０００２】
【従来の技術】
従来、身体を鍛える運動補助器具として手軽に使えることからエクスパンダーが良く知られており、多くの人々が愛用している。この従来のエクスパンダーは、複数本の金属製のスプリングのそれぞれの端部を把手に引っ掛け固定し、金属製のスプリングの端部を引っ掛けた把手をそれぞれ手で握り、引両腕を水平に左右に開くことによって腕、胸の筋肉を鍛えるものとなっている。
【０００３】
近年、運動補助器具に対する人々の関心は、高まり、老若男女を問わず、車椅子の人、ベットに寝た状態の人、あらゆる人が利用できる運動補助器具の出現が期待されている。特に、病後のリハビリ、身体に障害を持つ人が安全で気軽に利用できる運動補助器具の出現が待ち望まれていた。
【０００４】
【発明が解決しようとする課題】
しかしながら、従来のエクスパンダーにあっては、金属製のスプリングを用いており、ある程度健康な人の筋力増強を目指したものとなっているため、病後のリハビリ、障害を持った人の体力増強に利用できないという問題点を有している。
さらに、従来のエクスパンダーは、金属製のスプリングを用いており、端部に引っ掛けた把手を持って、両腕を水平に左右に開くようにスプリングを伸ばす運動にしか使用できず使用方法が限定されたものとなっており、運動用として幅広く用いることができない者となっていた。
また、従来のエクスパンダーにあっては、金属製のスプリングを用いて構成してあるため、力の無い人が扱うと、エクスパンダーを引両腕を水平に左右に開いた後、戻す際に金属製のスプリングで肌が挟まれたりして上手く扱えないことが多いという問題点を有している。
さらには、老人のリハビリ、病弱な人の体力増強に使用するのが難しいという問題点を有している。
【０００５】
本発明の目的は、強靱な体力を持っている人の体力増強、老人のリハビリ、病弱な人の体力増強、病後の体力回復を図るのに適し、老若男女を問わず、自由に歩ける人、身体の一部しか動かせない人、車椅子の人、ベットに寝た状態の人、あらゆる人が利用することのできる運動補助器具を提供することにある。
【０００６】
【課題を解決するための手段】
本発明の目的を達成するために、請求項１に記載の発明に係る運動補助器具は、伸縮性を備え紐状に形成するゴム材をリング状に形成してなるリング状ゴム部材と、このリング状ゴム部材を少なくとも２本用い、この２本のリング状ゴ厶部材を嵌装し任意の一筒所で束ね固定する止め部材とを設け、止め部材を摺動自在に取り付け束ね固定する位置を調整可能にすると共に、前記リング状ゴム部材の前記止め部材を挟んだいずれか一方又は両方の前記把手近傍に手首又は足首に通すリング部材を取り付けて構成したものである。
このように構成することにより、請求項１に記載の発明によると、強靱な体力を持っている人の体力増強、老人のリハビリ、病弱な人の体力増強、病後の体力回復を図るのに適し、老若男女を問わず、自由に歩ける人、身体の一部しか動かせない人、車椅子の人、ベットに寝た状態の人、あらゆる人が利用することができ、リング状ゴム部材の把手に足を掛けて使用中に、足に掛けたリング状ゴ厶部材が外れてもゴムの伸縮性によって腕の方に勢い良く戻ってくるのを防止することができる。
【０００７】
本発明の目的を達成するために、請求項２に記載の発明に係る運動補助器具は、伸縮性を有するゴム材をリング状に形成してなるリング状ゴム部材と、該リング状ゴム部材を少なくとも２本用い、該少なくとも２本のリング状ゴム部材を嵌装し任意の一箇所で束ね固定する止め部材とを設け、前記止め部材を摺動自在に取り付け前記少なくとも２本のリング状ゴム部材を束ね固定する位置を調整可能に設け、前記止め部材を挟んで前記各リング状ゴム部材のそれぞれの任意の一箇所で束ねる調整部材を摺動自在に取り付け該それぞれのリング状部材の束ね位置を調整し手又は足をかける輪の大きさを調整できるようにし、前記リング状ゴム部材の前記止め部材を挟んだいずれか一方又は両方の前記把手近傍に手首又は足首に通すリング部材を取り付けて構成したものである。
このように構成することにより、請求項２に記載の発明によると、強靱な体力を持っている人の体力増強、老人のリハビリ、病弱な人の体力増強、病後の体力回復を図るのに適し、老若男女を問わず、自由に歩ける人、身体の一部しか動かせない人、車椅子の人、ベットに寝た状態の人、あらゆる人が利用することができる。
【０００８】
本発明の目的を達成するために、請求項３に記載の発明に係る運動補助器具は、リング状ゴム部材の少なくとも２本のリング状ゴム部材のそれぞれに止め部材を挟んで、各リング状ゴム部材に装着する把手を設けて構成したものである。
このように構成することにより、請求項３に記載の発明によると、運動補助器具を強靱な体力を持っている人の体力増強、老人のリハビリ、病弱な人の体力増強、病後の体力回復を図るのに適し、老若男女を問わず、自由に歩ける人、身体の一部しか動かせない人、車椅子の人、ベットに寝た状態の人、あらゆる人が利用し易くすることができる。
【０００９】
本発明の目的を達成するために、請求項４に記載の発明に係る運動補助器具は、把手を、装着したリング状ゴム部材内で移動可能に構成したものである。
このように構成することにより、請求項４に記載の発明によると、リング状ゴム部材内で手に持つ箇所を自由に変えることができ運動補助器具の使用の自由度を上げることができる。
【００１０】
本発明の目的を達成するために、請求項５に記載の発明に係る運動補助器具は、リング状ゴム部材を構成する紐状に形成されたゴム材を、チューブ状に形成して構成したものである。
このように構成することにより、請求項５に記載の発明によると、手で握る箇所の当たりを柔らかくすることができ、扱い易くすることができる。
【００１１】
本発明の目的を達成するために、請求項６に記載の発明に係る運動補助器具は、止め部材を、断面だるま状に形成して構成したものである。
このように構成することにより、請求項６に記載の発明によると、嵌装する２本のリング状ゴム部材を緩みなく装着することができる。
【００１２】
本発明の目的を達成するために、請求項７に記載の発明に係る運動補助器具は、止め部材の外周に、この止め部材を締め付けるマジックテープを着脱自在に巻回して構成したものである。
このように構成することにより、請求項７に記載の発明によると、止め部材を嵌装する２本のリング状ゴム部材を強く締め付け、任意の一箇所で確実に束ね固定することができる。
【００１３】
本発明の目的を達成するために、請求項８に記載の発明に係る運動補助器具は、止め部材を、外周面に括れ状の段差部を形成し、マジックテープをこの段差部に着脱自在に巻回して構成したものである。
このように構成することにより、請求項８に記載の発明によると、止め部材を嵌装する２本のリング状ゴム部材を強く締め付け、任意の一箇所でずれることなくより確実に束ね固定することができる。
【００１４】
本発明の目的を達成するために、請求項９に記載の発明に係る運動補助器具は、リング状ゴム部材の止め部材を挟んだいずれか一方又は両方の把手近傍に手首又は足首に通すリング部材を取り付けて構成したものである。
このように構成することにより、請求項９に記載の発明によると、リング状ゴム部材の把手に足を掛けて使用中に、足に掛けたリング状ゴム部材が外れてもゴムの伸縮性によって腕の方に勢い良く戻ってくるのを防止することができる。
【００１５】
【発明の実施の形態】
以下、本発明の実施の形態について説明する。
図１には本発明に係る運動補助器具の一実施の形態が示されている。
図１において、本発明に係る運動補助器具１は、複数本（本実施の形態においては、２本）のリング状ゴム部材２と、この２本のリング状ゴム部材２を嵌装し任意の一箇所で束ね固定する止め部材３とによって構成されている。このリング状ゴム部材２は、図２に示す如く、伸縮性を備えたゴム材を紐状２Ａに形成して構成することも、図３に示す如く、伸縮性を備えたゴム材をチューブ状（パイプ状）２Ｂに形成して構成することもできる。
【００１６】
止め部材３は、図４に示す如く断面だるま状に形成されている。すなわち、この止め部材３は、端面形状が８字状（又は、めがね状）に形成されており、２つの貫通孔３１、３２が設けられ、パイプ状に形成されている。この貫通孔３１には、２本のリング状ゴム部材２の内の一方のリング状ゴム部材２１が嵌合されており、リング状ゴム部材２１を束ね固定するように構成されている。また、通孔３２には、２本のリング状ゴム部材２の内の他方のリング状ゴム部材２２が嵌合されており、リング状ゴム部材２２を束ね固定するように構成されている。この２本のリング状ゴム部材２１、２２は、止め部材３によって１箇所で束ね固定されている。
【００１７】
この止め部材３は、めがね状に形成されている場合には、貫通孔は１個となり、この１個の貫通孔に２本のリング状ゴム部材２が嵌合されており、リング状ゴム部材２１を束ね固定するようになる。
このように止め部材３を端面形状が８字状（又は、めがね状）になるように形成したのは、この止め部材３の外周面をマジックテープ４で締め付けた際に、止め部材３が変形し、止め部材３の貫通孔に収納された２本のリング状ゴム部材２を確実に固定することができるようにするためである。
【００１８】
また、止め部材３には、長さ方向所定幅で、止め部材３の径より小径の段差部３３が形成されている。この段差部３３は、止め部材３の外周面に巻き付けるマジックテープ４が止め部材３の外周面に突出しないようにするためのものである。さらに、止め部材３の外周面に段差部３３を設けることにより、止め部材３の肉厚が小さくなり、マジックテープ４で締め付けた際に、マジックテープ４の締め付け力によって段差部３３を容易に変形させることができ、より確実に２本のリング状ゴム部材２を束ね固定することができる。
なお、マジックテープ４は、一般に市販されている者で、一方の面に合成樹脂製糸をループ状に形成する多数の突起が設けられ、このループ状突起形成面に合わせる他方の面に合成樹脂製糸を鈎状に形成する多数の突起が設けられたもので、脱着が容易にできるものである。
【００１９】
この止め部材３は、マジックテープ４の締め付け力を解除すると、比較的自由となり、止め部材３を手で持って図５に図示矢印に示す如く、リング状ゴム部材２の長さ方向に摺動自在することができ、束ね固定する位置を自由に調整することができる。
このように、運動補助器具１は、伸縮性を備え紐状に有するゴム材をリング状に形成してなるリング状ゴム部材２と、このリング状ゴム部材２を少なくとも２本用い、この２本のリング状ゴム部材２を嵌装し任意の一箇所で束ね固定する止め部材３とを設け、止め部材３を摺動自在に取り付け束ね固定する位置を調整可能にして構成されている。
【００２０】
図１において、５は、複数本のリング状ゴム部材１を持つ把手である。この把手５は、持ちやすいようにパイプ状に形成されており、持った際に当たりが柔らかいように可撓性を有している。材質としては、樹脂で、シリコンゴム、ウレタンフォーム等が適している。そして、この把手５は、止め部材３を挟んで、２本のリング状ゴム部材２１、２２の両端にそれぞれ設けられている。すなわち、この把手５は、一方のリング状ゴム部材２１に２つ、他方のリング状ゴム部材２２に２つ設けられている。このリング状ゴム部材２１、２２に設けられているそれぞれの把手５は、装着したリング状ゴム部材２１、２２のそれぞれの中で移動可能に構成されている。
【００２１】
また、一方のリング状ゴム部材２１には、止め部材３を挟んで、リング状ゴム部材２１の一方又は両方（図１では、両方）に任意の一箇所で束ねる調整部材６、７が設けられている。また、他方のリング状ゴム部材２２には、止め部材３を挟んで、リング状ゴム部材２２の一方又は両方（図１では、両方）に任意の一箇所で束ねる調整部材６、７が設けられている。
この調整部材６、７は、リング状ゴム部材２１、２２の両端の輪の大きさを設定するのに用いられる。
この調整部材６、７は、図６に示す如き構成を有している。すなわち、調整部材６、７は、１本のリング状ゴム部材２が対向パイプを合わせた状態で密に嵌合しており、調整部材６、７を手で持って嵌合したリング状ゴム部材２を一方に引っ張ることによって、図６に図示の矢印に示す如く、調整部材６、７の位置をリング状ゴム部材２の長さ方向に摺動自在することができ、束ね固定する位置を自由に調整することができるようになっている。
【００２２】
また、リング状ゴム部材２の止め部材３を挟んだいずれか一方又は両方（図１に図示の実施の形態においては、一方）の把手５の近傍には、リング部材８が固定材（例えば、紐、接着剤等）９によって固着されている。
運動補助器具１を使用して行う運動にリング状ゴム部材２１、２２の一方の把手５に足を掛け、他方を手で引き上げる運動が有るが、この運動の場合、リング状ゴム部材２１、２２の一方の把手５に足を掛け、他方を手で引き上げる運動をしている最中に、足に掛けたリング状ゴム部材２１、２２が外れると、ゴムの収縮力によって勢い良く手元に戻ってきた身体の一部を強打する場合がある。このリング部材８は、そのような場合に、足に掛けたリング状ゴム部材２１、２２が外れても、ゴムの収縮力によって勢い良く手元に戻ってこないように防ぐためのものである。すなわち、リング部材８は、リング状ゴム部材２１、２２の一方の把手５に足を掛け、他方を手で引き上げる運動の場合、足に掛けたリング状ゴム部材２１、２２が外れることが多いため、足首に通して、足に掛けたリング状ゴム部材２１、２２が外れても、ゴムの収縮力によって勢い良く手元に戻ってくることがないようにする。
【００２３】
図７、図８に、図１に図示の運動補助器具１の使用例が示してある。
まず、運動補助器具１の止め部材３を摺動してリング状ゴム部材２のリングの大きさを調整する。すなわち、例えば、図７に示すように、止め部材３を摺動して足に掛ける方のリング状ゴム部材２のリングの大きさが小さくなるように調整する。この足に掛ける方のリング状ゴム部材２のリングの大きさが小さくなるように調整するのは、手で持つ側のリング状ゴム部材２のリングの大きさを大きくすると、手でリング状ゴム部材２のリングの端を引き上げる際に自由度が出て自由に運動ができるという効果がある。
さらに、図７に図示の運動補助器具１の使用例は、調整部材６、７の位置を調整してさらに、リング状ゴム部材２の足を掛けるリングの大きさを小さくし、リング状ゴム部材２の手で持つ側のリングの大きさを小さく調整してある。このようにすることにより、リング状ゴム部材２１、２２の一方の把手５に足を掛け、他方を手で引き上げる運動を行った際に、手で引き上げた側のリング状ゴム部材２１、２２に身体の一部が挟まれるのを防止することができる。
【００２４】
さらに、図８に図示の運動補助器具１の使用例は、まず、運動補助器具１の止め部材３を摺動してリング状ゴム部材２のリングの大きさが小さくなるように調整する。そして、図８に図示の運動補助器具１の使用例は、調整部材６、７の位置の調整をしないでそのまま使用する例が示されている。
【００２５】
【発明の効果】
本発明は、以上説明したように構成されているので、以下に記載されるような効果を奏する。
【００２６】
請求項１に記載の発明によれば、強靱な体力を持っている人の体力増強、老人のリハビリ、病弱な人の体力増強、病後の体力回復を図るのに適し、老若男女を問わず、自由に歩ける人、身体の一部しか動かせない人、車椅子の人、ベットに寝た状態の人、あらゆる人が利用することができる。
【００２７】
請求項２に記載の発明によれば、強靱な体力を持っている人の体力増強、老人のリハビリ、病弱な人の体力増強、病後の体力回復を図るのに適し、老若男女を問わず、自由に歩ける人、身体の一部しか動かせない人、車椅子の人、ベットに寝た状態の人、あらゆる人が利用することができる。
【００２８】
請求項３に記載の発明によれば、運動補助器具を強靱な体力を持っている人の体力増強、老人のリハビリ、病弱な人の体力増強、病後の体力回復を図るのに適し、老若男女を問わず、自由に歩ける人、身体の一部しか動かせない人、車椅子の人、ベットに寝た状態の人、あらゆる人が利用し易くすることができる。
【００２９】
請求項４に記載の発明によれば、リング状ゴム部材内で手に持つ箇所を自由に変えることができ運動補助器具の使用の自由度を上げることができる。
【００３０】
請求項５に記載の発明によれば、手で握る箇所の当たりを柔らかくすることができ、扱い易くすることができる。
【００３１】
請求項６に記載の発明によれば、嵌装する２本のリング状ゴム部材を緩みなく装着することができる。
【００３２】
請求項７に記載の発明によれば、止め部材を嵌装する２本のリング状ゴム部材を強く締め付け、任意の一箇所で確実に束ね固定することができる。
【００３３】
請求項８に記載の発明によれば、止め部材を嵌装する２本のリング状ゴム部材を強く締め付け、任意の一箇所でずれることなくより確実に束ね固定することができる。
【００３４】
請求項９に記載の発明によれば、リング状ゴム部材の把手に足を掛けて使用中に、足に掛けたリング状ゴム部材が外れてもゴムの伸縮性によって腕の方に勢い良く戻ってくるのを防止することができる。手で握る箇所の当たりを柔らかくすることができ、扱いを簡単にすることができる。
【図面の簡単な説明】
【図１】本発明に係る運動補助器具の一実施の形態を示す全体構成図である。
【図２】図１に図示のリング状ゴム部材の構成図である。
【図３】図１に図示のリング状ゴム部材の構成図である。
【図４】図１に図示の運動補助器具の止め部材の全体斜視図である。
【図５】図５に図示の運動補助器具の止め部材の取付状態を示す図である。
【図６】図１に図示の運動補助器具の調整部材の取付状態を示す図である。
【図７】図１に図示の運動補助器具の使用状態を示す図である。
【図８】図１に図示の運動補助器具の他の使用状態を示す図である。
【符号の説明】
１………………運動補助器具
２………………リング状ゴム部材
３………………止め部材
４………………マジックテープ
５………………把手
６，７…………調整部材
８………………リング部材
【図１】
0003626970.tif 000002
【図２】
0003626970.tif 000003
【図３】
0003626970.tif 000004
【図４】
0003626970.tif 000005
【図５】
0003626970.tif 000006
【図６】
0003626970.tif 000007
【図７】
0003626970.tif 000008
【図８】
0003626970.tif 000009